(57)【要約】      （修正有）【課題】洗った野菜の水気を短時間でかつしっかりと切ることができる野菜水切り用袋を提供する。【解決手段】野菜水切り用袋１は、野菜を収容するネット状の内袋２０と、内袋を内部に収納する外袋１０とを備える。外袋の内面には、ペーパータオル１１などの吸水性を有するシート状材料が貼着されており、内袋の上縁部２１のみが外袋１０の上部内面に固定されており、少なくとも内袋２０の底部は外袋１０の底部内面に接していないようにする。【選択図】図１
0003171363.tif 000002
【実用新案登録請求の範囲】
【請求項１】
野菜を収容するネット状の内袋と、該内袋を内部に収納する外袋とを備えた野菜水切り用袋であって、
前記外袋の内面には吸水性を有するシート状材料が貼着されており、
前記内袋の上縁部のみが前記外袋の上部内面に固定されており、少なくとも前記内袋の底部は前記外袋の底部内面に接していないことを特徴とする野菜水切り用袋。
【請求項２】
野菜を収容するネット状の内袋と、該内袋を内部に収納する外袋とを備えた野菜水切り用袋であって、
前記外袋の内面には吸水加工が施されており、
前記内袋の上縁部のみが前記外袋の上部内面に固定されており、少なくとも前記内袋の底部は前記外袋の底部内面に接していないことを特徴とする野菜水切り用袋。
【請求項３】
前記シート状材料はペーパータオルであることを特徴とする、請求項１に記載の野菜水切り用袋。
【請求項４】
前記外袋は紙袋であることを特徴とする、請求項１又は２に記載の野菜水切り用袋。
【請求項５】
前記外袋は自立可能な形態であることを特徴とする、請求項１又は２に記載の野菜水切り用袋。
【請求項６】
前記内袋は前記外袋よりも一回り小さいことを特徴とする、請求項１又は２に記載の野菜水切り用袋。
【考案の詳細な説明】
【技術分野】
【０００１】
本考案は、洗った野菜の水気を切るための野菜水切り用袋に関する。
【背景技術】
【０００２】
野菜をサラダ等として食す際には、通常、まず水洗いし、しっかりと水気を切った後、食卓に供する。必要に応じて水洗い前又は食卓に供する前に適当な大きさに切ることもある。また、炒め物に野菜を使う場合、野菜に水気が残っていると油が跳ね易くなるため、水洗いした後にしっかりと水気を切る必要がある。このように調理時に野菜の水気を切るときには、サラダスピナーと呼ばれるざる状のバスケットに蓋のついたものやキッチンペーパーがよく使われる。
【考案の概要】
【考案が解決しようとする課題】
【０００３】
しかしながら、サラダスピナーはスペースを取るため保管時に嵩張る上に、使用時には遠心力によってプラスチックのバスケットの網目に野菜が詰まったり挟まったりするため、使用後の手入れが面倒である。その結果、毎回毎回サラダスピナーを用いて水気を切ろうとすることが少なくなり、結局使わなくなってしまうことも多い。また、キッチンペーパーは一度使うと再利用することができず、また、水気を切る野菜の量が多くなるとキッチンペーパーの使用量も多くなるとともに、全ての野菜の水気を拭き取るのにかなりの時間がかかってしまう。
【０００４】
本考案は、このような実状に鑑みてなされたものであり、洗った野菜の水気を短時間でかつしっかりと切ることができる野菜水切り用袋を提供することを目的とする。
【課題を解決するための手段】
【０００５】
上記課題を解決するために、第一に、本考案は、野菜を収容するネット状の内袋と、該内袋を内部に収納する外袋とを備えた野菜水切り用袋であって、前記外袋の内面には吸水性を有するシート状材料が貼着されており、前記内袋の上縁部のみが前記外袋の上部内面に固定されており、少なくとも前記内袋の底部は前記外袋の底部内面に接していないことを特徴とする野菜水切り用袋を提供し（考案１）、第二に、本考案は、野菜を収容するネット状の内袋と、該内袋を内部に収納する外袋とを備えた野菜水切り用袋であって、前記外袋の内面には吸水加工が施されており、前記内袋の上縁部のみが前記外袋の上部内面に固定されており、少なくとも前記内袋の底部は前記外袋の底部内面に接していないことを特徴とする野菜水切り用袋を提供する（考案２）。
【０００６】
上記考案（考案１，２）によれば、内袋に洗った野菜を収容した上で外袋の口を折り畳んで閉じ、閉じた口の部分を手に持って数回振った際に、遠心力によって野菜に付着している水分が外袋の内面に貼着されている吸水性を有するシート状材料、又は吸水加工が施された外袋内面に吸収されるため、洗った野菜の水気を短時間でかつしっかりと切ることができる。また、野菜の水気が切られた後においては、外袋の内面に貼着されている吸水性を有するシート状材料、又は吸水加工が施された外袋内面に水気が含まれていることにより、袋内部は適度に湿気のある状態となるため、野菜の乾燥を防ぐことができ、結果として野菜の鮮度や歯応えを維持することができる。
【０００７】
上記考案（考案１）において、前記シート状材料はペーパータオルであることが好ましい（考案３）。かかる考案によれば、低コストで機能性に優れた野菜水切り用袋を容易に製造することができる。
【０００８】
上記考案（考案１，２）において、前記外袋は紙袋であることが好ましい（考案４）。かかる考案（考案４）によれば、容易に袋を折り畳むことができるため、省スペースで保管することができる。また、使用後の袋を容易に分解することができるため、水気を含んだ外袋内面を利用してコンロや電子レンジ等の油汚れ、流し台の汚れ等を拭き取るキッチン用雑巾の代用品として再利用ができる。さらに、使用後の袋を分解してネット状の内袋を取り出し、そのまま排水溝や三角コーナーの生ごみの水切りネットとして再利用ができる。
【０００９】
上記考案（考案１，２）において、前記外袋は自立可能な形態であることが好ましい（考案５）。かかる考案（考案５）によれば、水気を切った野菜を内部に収容したまま冷蔵庫に保存したり、自立した状態の袋から容易に片手で野菜を掴み出したりすることができる。
【００１０】
上記考案（考案１，２）において、前記内袋は前記外袋よりも一回り小さいことが好ましい（考案６）。かかる考案（考案６）によれば、内袋に洗った野菜を収容した上で外袋の口を折り畳んで閉じ、閉じた口の部分を手に持って数回振った際に、より効率的に遠心力によって野菜の水気を短時間でかつしっかりと切ることができる。
【考案の効果】
【００１１】
本考案に係る野菜水切り用袋によれば、洗った野菜の水気を短時間でかつしっかりと切ることができる。また、省スペースで保管することができ、再利用も容易にできる。
【図面の簡単な説明】
【００１２】
【図１】本考案の一実施形態に係る野菜水切り用袋の概要図である。
【考案を実施するための形態】
【００１３】
以下、本考案の一実施形態について、図面に基づいて説明する。図１は、本考案の一実施形態に係る野菜水切り用袋の概要図である。
【００１４】
図１に示すように、本実施形態における野菜水切り用袋１は、紙製の外袋１０と、ネット状の内袋２０とから構成される。外袋１０の内面には吸水性を有するシート状材料としてのペーパータオル１１が全面に貼りつけられており、内袋２０の上縁部２１がマジックテープ（登録商標）１２を用いて外袋１０の上部内面に固定されている。なお、内袋２０を外袋１０に固定する手段はマジックテープ（登録商標）１２に限られるものではなく、例えば、糊付けされていてもよいし、熱圧着されていてもよい。なお、マジックテープ（登録商標）１２を固定手段として用いた場合には、容易に使用後の袋を分解してネット状の内袋を取り出すことができる。
【００１５】
本実施形態においては、コストを低く抑えつつも十分な吸水性を発揮するペーパータオル１１が外袋１０の内面に貼りつけられているが、外袋１０の内面に吸水性を持たせることができる限りこれに限られるものではなく、例えば、吸水性を有するシート状材料として薄いタオル状の繊維材料を外袋１０の内面全面に貼りつけてもよいし、外袋１０の内面に吸水性ポリマー等を用いた吸水加工を直接施してもよい。なお、外袋１０の内面全面が吸水性を有するシート状材料に覆われている、又は吸水加工が施されている必要はなく、一部に吸水性を有さない面が存在していてもよい。
【００１６】
本実施形態においては、外袋１０は紙製であるがこれに限られるものではなく、例えばビニール製でもよい。紙製であれば容易に袋を折り畳むことができるため、省スペースで保管することができる。
【００１７】
また、内袋２０はネット状であり、内部に洗った野菜を収容することができるとともに、野菜に付着した水分のみがネットの網目を通過することができるようになっている。
【００１８】
内袋２０は外袋１０よりも一回り小さいものとなっており、そのため、上縁部２１以外においては内袋２０と外袋１０とは接触していない。このように外袋１０内に内袋２０を収納することにより、内袋に洗った野菜を収容した上で外袋の口を折り畳んで閉じ、閉じた口の部分を手に持って数回振った際に、効率的に遠心力によって野菜の水気を短時間でかつしっかりと切ることができる。なお、少なくとも内袋２０の底部が外袋１０の底部内面に接しないように収納されていれば、遠心力によって十分に野菜の水気を短時間でかつしっかりと切ることができる。
【００１９】
本実施形態においては、外袋１０の底面を適当な面積を持つ平らな矩形状に形成してあるため、野菜水切り用袋１は自立可能なものとなっている。このように自立可能な形態にすることにより、水気を切った野菜を内部に収容したまま冷蔵庫に保存したり、自立した状態の袋から容易に片手で野菜を掴み出したりすることができる。
【００２０】
本実施形態に係る野菜水切り用袋１の使い方を説明する。一例として、カットした葉野菜のサラダを作るときの野菜水切り用袋１の使い方を説明する。まず、葉野菜を食べやすい形にカットし、カットした野菜を水洗いしてざるで軽く水気を切る。次にその野菜を野菜水切り用袋１の内袋２０に収容した上で外袋１０の口を折り畳んで閉じ、閉じた口の部分を手に持って数回振る。このように野菜水切り用袋１を振ることにより、遠心力によって野菜に付着している水分が外袋の内面に貼着されているペーパータオル１１に吸収されるため、洗った野菜の水気を短時間でかつしっかりと切ることができる。そして、水気の切られた野菜をそのままサラダとして食卓に供することができる。
【００２１】
また、野菜の水気が切られた後においては、外袋１０の内面に貼着されているペーパータオル１１に水気が含まれていることにより、野菜水切り用袋１内部は適度に湿気のある状態となっている。そのため、残った野菜を野菜水切り用袋１に入れたままにしておけば野菜の乾燥を防ぐことができ、結果として野菜の鮮度や歯応えを維持することができる。また、水気を切った後、食卓に供す前に袋のまま冷蔵庫に入れて冷やすことにより、さらにしゃきしゃきとした野菜の歯応えを楽しむことができる。この場合にも適度に湿気のある内部状態が野菜の乾燥を防ぐことになる。
【００２２】
本実施形態に係る野菜水切り用袋１は使用後の再利用も可能である。使用後は容易に分解することができるため、水気を含んだ外袋１０内面のペーパータオル１１を利用してコンロや電子レンジ等の油汚れ、流し台の汚れ等を拭き取るキッチン用雑巾の代用品として再利用ができる。さらに、使用後の野菜水切り用袋１を分解してネット状の内袋２０を取り出し、そのまま排水溝や三角コーナーの生ごみの水切りネットとして再利用することもできる。
【００２３】
以上説明した本実施形態に係る野菜水切り用袋によれば、洗った野菜の水気を短時間でかつしっかりと切ることができる。また、省スペースで保管することができ、再利用も容易にできる。
【００２４】
以上説明した実施形態は、本考案の理解を容易にするために記載されたものであって、本考案を限定するために記載されたものではない。したがって、上記実施形態に開示された各要素は、本考案の技術的範囲に属する全ての設計変更や均等物をも含む趣旨である。
【符号の説明】
【００２５】
１…野菜水切り用袋
１０…外袋
１１…ペーパータオル
１２…マジックテープ（登録商標）
２０…内袋
２１…上縁部
【図１】
0003171363.tif 000003